(57)【要約】【課題】端子台の幅寸法及び電気機器の先端からの突出量を小さくし、コンパクト化を図る。【解決手段】住宅用分電盤の取付面からの距離がそれぞれ異なる２つの位置で収納凹所２３１，２３２が形成された端子台２と、収納凹所２３１，２３２にそれぞれ配置されて電線導体を接続する端子ねじＳ付の端子部３，４と、端子部３，４にそれぞれ電気的に接続され端子台２から突出する形で配置して一次送り開閉器８２の長手方向先端の受刃８２ａ，８２ｃに差込接続される上下二段の差込刃とを備え、端子台２を一次送り開閉器８２の幅寸法と略同一の幅寸法とし、各端子ねじＳの締付方向を一次送り開閉器８２の幅方向とした。【選択図】  図１
2004259559.tif 000002
【特許請求の範囲】
【請求項１】
取付面からの距離がそれぞれ異なる２つの位置で収納凹所が形成された端子台と、各収納凹所にそれぞれ配置されて電線導体を接続する端子ねじ付の複数の端子部と、各端子部にそれぞれ電気的に接続され端子台から突出する形で配置して電気機器の長手方向先端の各受刃に差込接続される上下二段の２つの差込刃と、を備えた接続変換装置において、
前記端子台を電気機器の幅寸法と略同一の幅寸法とし、前記各端子ねじの締付方向を電気機器の幅方向としたことを特徴とする接続変換装置。
【請求項２】
取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、
前記端子台を電気機器の幅寸法と略同一の幅寸法とし、前記各端子ねじの締付方向を電気機器の高さ方向において上方向及び下方向としたことを特徴とする接続変換装置。
【請求項３】
取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、
前記端子台を電気機器の幅寸法と略同一の幅寸法とし、前記各端子ねじの締付方向を電気機器の長手方向としたことを特徴とする接続変換装置。
【請求項４】
取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、
前記端子台を電気機器の幅寸法と略同一の幅寸法とし、前記各端子ねじの締付方向を電気機器の高さ方向及び幅方向としたことを特徴とする接続変換装置。
【請求項５】
取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、
前記端子台を電気機器の幅寸法と略同一の幅寸法とし、前記各端子ねじの締付方向を電気機器の長手方向及び幅方向としたことを特徴とする接続変換装置。
【請求項６】
取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、
前記端子台を電気機器の幅寸法と略同一の幅寸法とし、前記各端子ねじの締付方向を電気機器の高さ方向及び長手方向としたことを特徴とする接続変換装置。
【請求項７】
前記各差込刃を前記電気機器の各受刃に差込接続した状態で前記端子台の取付面を前記電気機器の取付面に対して面一としたことを特徴とする請求項１乃至請求項６のいずれか１項に記載の接続変換装置。
【請求項８】
前記各差込刃は、前記電気機器の高さ方向において上側及び下側からの距離を同一距離として配設されたことを特徴とする請求項７記載の接続変換装置。
【発明の詳細な説明】
【０００１】
【発明の属する技術分野】
本発明は、電線導体とプラグイン式の電気機器との間に介在し、該電線導体と該電気機器とを電気的に接続する接続変換装置に関する。
【０００２】
【従来の技術】
図１５はこの種の接続変換装置が使用される住宅用分電盤の分解斜視図、図１６は同接続変換装置の分解斜視図であり（特許文献１参照）、これらの図に示す接続変換装置１ＰＡは、住宅用分電盤に使用されている。
【０００３】
この住宅用分電盤は、図１５に示すように、例えば絶縁性の樹脂等により底部に矩形状の電線挿通孔５ａを有する箱状に形成された箱体５と、例えば絶縁性の樹脂等により箱体５の開口を閉塞する形状に形成された蓋体６とを備え、これら箱体５及び蓋体６により構成されるハウジング内に、分岐開閉器ブロック７及び主幹開閉器ブロック８等を収容している。
【０００４】
分岐開閉器ブロック７は、プラグイン式の回路遮断器であって開閉機構部を内蔵する器体の短手側一側面に導電バー（７２，７３）挿入用の３つの受刃を上、中、下の三段で有する分岐開閉器７１を複数備えているほか、中性極用の導電バー７２、電圧極用の一対の導電バー７３（図では他方は隠れている）及び基台７４等を備えている。
【０００５】
主幹開閉器ブロック８は、器体８１０を有し、一次側となる電圧極用の両端子Ｔ１，Ｔ１及び中性極用の端子Ｔ１Ｎが器体８１０の上下側面側にそれぞれ設けられ、二次側となる電圧極用の両端子及び中性極用の端子（図では隠れている）が器体８１０の右側面側に設けられた主幹開閉器８１を備えているほか、一次送り開閉器８２、取付具８３及び接続変換装置１ＰＡ等を備えている。
【０００６】
ここで、回路遮断器を共通化するために、一次送り開閉器８２にも分岐開閉器７１と同じプラグイン式の回路遮断器を用いることができるように、接続変換装置１ＰＡが設けられている。
【０００７】
この従来の接続変換装置１ＰＡは、図１６に示すように、箱体５の底部側の取付面からの距離がそれぞれ異なる２つの階段面２１ＰＡ，２２ＰＡを有する階段部が形成された端子台２ＰＡと、階段面２１ＰＡ，２２ＰＡ側にそれぞれ配置される端子ねじＳ付の２つの端子部３ＰＡ，４ＰＡと、端子部３ＰＡ及び端子部４ＰＡにそれぞれ電気的に接続され端子台２ＰＡから突出する形で配置される差込刃３１ＰＡ，３２ＰＡ及び差込刃４１ＰＡとを備えている。
【０００８】
そして、差込刃３１ＰＡ，３２ＰＡ，４１ＰＡと端子ねじＳ，Ｓとが、電気機器としての一次送り開閉器８２の幅方向に並設されているとともに、階段面２１ＰＡ，２２ＰＡ（各階段部）が電気機器の長手方向に配設されている。
【０００９】
【特許文献１】
特開２００１−１５７３２３号公報
【００１０】
【発明が解決しようとする課題】
上述した接続変換装置では、差込刃と端子ねじとが電気機器の幅方向に並設されているので、端子台の幅寸法が大きくなり、また、各階段部が電気機器の長手方向に配設されているので、正面から見て端子ねじの頭部をずらして配設することとなり、電気機器の先端からの端子台の突出量を小さくすることができない。このため、コンパクト化が図れないという問題があった。
【００１１】
本発明は、かかる事由に鑑みて成されたものであり、その目的とするところは、端子台の幅寸法及び電気機器の先端からの突出量を小さくすることができ、コンパクト化が図れる接続変換装置を提供することにある。
【００１２】
【課題を解決するための手段】
上記課題を解決するための請求項１記載の発明は、取付面からの距離がそれぞれ異なる２つの位置で収納凹所が形成された端子台と、各収納凹所にそれぞれ配置されて電線導体を接続する端子ねじ付の複数の端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の幅方向としたことを特徴とする。
【００１３】
請求項２記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の高さ方向において上方向及び下方向としたことを特徴とする。
【００１４】
請求項３記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の長手方向としたことを特徴とする。
【００１５】
請求項４記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の高さ方向及び幅方向としたことを特徴とする。
【００１６】
請求項５記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の長手方向及び幅方向としたことを特徴とする。
【００１７】
請求項６記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の高さ方向及び長手方向としたことを特徴とする。
【００１８】
請求項７記載の発明は、請求項１乃至請求項６のいずれか１項に記載の接続変換装置において、前記各差込刃を前記電気機器の各受刃に差込接続した状態で前記端子台の取付面を前記電気機器の取付面に対して面一としたことを特徴とする。
【００１９】
請求項８記載の発明は、請求項７記載の接続変換装置において、前記各差込刃は、前記電気機器の高さ方向において上側及び下側からの距離を同一距離として配設されたことを特徴とする。
【００２０】
【発明の実施の形態】
（第１実施形態）
図１は本発明による第１実施形態の接続変換装置を電気機器に接続した状態を示す斜視図、図２は同接続変換装置及び電気機器一式の正面図（ａ）、上側面図（ｂ）及び左側面図（ｃ）、図３は同接続変換装置単体の斜視図、図４は同接続変換装置の正面図（ａ）、上側面図（ｂ）、左側面図（ｃ）及び背面図（ｄ）である。ただし、各図面の方向は図１５の配置を基準にした便宜上のものである。
【００２１】
第１実施形態の接続変換装置１は、図１〜図４に示すように、従来の接続変換装置１ＰＡと同様に、回路遮断器を共通化するべく、電気機器としての一次送り開閉器８２にも分岐開閉器７１と同じプラグイン式の回路遮断器を用いることができるようにするためのものである。
【００２２】
接続変換装置１は、住宅用分電盤の取付面からの距離がそれぞれ異なる２つの位置で収納凹所２３１，２３２が形成された端子台２と、収納凹所２３１，２３２にそれぞれ配置されて電線導体を接続する端子ねじＳ付の端子部３，４と、端子部３，４にそれぞれ電気的に接続され端子台２から突出する形で配置して一次送り開閉器８２の長手方向先端の受刃８２ａ，８２ｃに差込接続される上下二段の差込刃３１，４１とを備え、端子台２を一次送り開閉器８２の幅寸法と略同一の幅寸法とし、各端子ねじＳの締付方向を一次送り開閉器８２の幅方向としたことを特徴とする。
【００２３】
具体的には、端子台２は、例えば絶縁樹脂等により、一次送り開閉器８２における上、中、下三段の受刃（差込口）８２ａ，８２ｂ，８２ｃのある上側面からその一次送り開閉器８２の長手方向に伸びる角状に形成されている。このため、差込刃３１，４１等を一次送り開閉器８２の受刃８２ａ，８２ｃ等に差込接続した状態において、端子台２の取付面（背面２２）が一次送り開閉器８２の取付面に対して面一となる。また、端子台２の正面２１、左側面２３及び右側面２４も一次送り開閉器８２の各対応する面とそれぞれ面一となる。
【００２４】
そして、収納凹所２３１，２３２は、主として端子台２の左側面２３側に形成され、一次送り開閉器８２の上側面側に頭部が位置すると共に端子台２の上側面２５側に足部が位置するＴ字状の隔壁２３０により絶縁分離され、端子台２の上側面２５からも外部を臨む構造になっている。
【００２５】
また、Ｔ字状の隔壁２３０の頭部両端には、収納凹所２３１，２３２をそれぞれ一次送り開閉器８２の上側面における受刃８２ａ，８２ｃに連通させるためのスリット２６１，２６２が形成されている。つまり、スリット２６１，２６２が端子台２の下側面２６に形成されているのである。
【００２６】
また、正面２１からのスリット２６１の配置寸法と背面２２からのスリット２６２の配置寸法とを同一寸法に設定してある。これにより、接続変換装置１の正面及び背面を逆にしても接続変換装置１を一次送り開閉器８２に接続することができ、図１５に限定されない柔軟な配置が可能となる。
【００２７】
更に、端子台２の下側面２６には、一次送り開閉器８２の上側面における受刃８２ｂに嵌入する足割り形の突起２６０が形成されている。
【００２８】
端子部３は、端子台２の収納凹所２３１の底部に配設され、平角ワッシャＷを足部に挿通する端子ねじＳ付きの平板状の端子板部３０と、この端子板部３０に対して例えば垂直に切り起こされ、端子台２のスリット２６１に挿通される平板状の差込刃３１とにより構成される。
【００２９】
端子部４は、端子台２の収納凹所２３２の底部に配設され、平角ワッシャＷを足部に挿通する端子ねじＳ付きの平板状の端子板部４０と、この端子板部４０に対して例えば垂直に切り起こされ、端子台２のスリット２６２に挿通される平板状の差込刃４１とにより構成される。
【００３０】
そして、端子部３の端子板部３０及び端子部４の端子板部４０は、主幹開閉器８１の端子Ｔ１，Ｔ１Ｎと接続されることになる。なお、端子部３，４の端子台２への取付けについては、例えば、端子板部３０，４０に端子ねじＳの足部挿通用の挿通孔を穿設し、端子ねじＳ螺着用のナットを端子台２に設ける構成でも、端子ねじＳ螺着用の穴乃至貫通孔を端子台２に設ける構成でもよい。
【００３１】
このように、端子台２を一次送り開閉器８２の幅寸法と略同一の幅寸法とし、各端子ねじＳの締付方向を一次送り開閉器８２の幅方向としたので、端子部３，４に電線導体を一次送り開閉器８２の幅方向から端子ねじＳ，Ｓで接続した後に差込刃３１，４１を一次送り開閉器８２の受刃８２ａ，８２ｃに差込接続することができ、正面から見て端子ねじＳ，Ｓの頭部をずらして配設する必要がなく、もって端子台２の幅寸法及び一次送り開閉器８２の先端からの突出量を小さくすることができ、コンパクト化が図れる。
【００３２】
（第２実施形態）
図５は本発明による第２実施形態の接続変換装置の斜視図、図６は同接続変換装置の正面図（ａ）、上側面図（ｂ）、左側面図（ｃ）及び背面図（ｄ）である。ただし、各図面の方向は図１５の配置を基準にした便宜上のものである。
【００３３】
第２実施形態の接続変換装置１Ａは、図５，図６に示すように、従来の接続変換装置１ＰＡと同様に、回路遮断器を共通化するべく、電気機器としての一次送り開閉器８２（図示せず）にも分岐開閉器７１と同じプラグイン式の回路遮断器を用いることができるようにするためのものである。
【００３４】
接続変換装置１Ａは、住宅用分電盤の取付面からの距離がそれぞれ異なる２つの位置で収納凹所２１１，２２１が形成された端子台２Ａと、収納凹所２１１，２２１にそれぞれ配置されて電線導体を接続する端子ねじＳ付の端子部３Ａ，４Ａと、端子部３Ａ，４Ａにそれぞれ電気的に接続され端子台２Ａから突出する形で配置して一次送り開閉器８２の長手方向先端の受刃８２ａ，８２ｃに差込接続される上下二段の差込刃３１，４１とを備え、端子台２Ａを一次送り開閉器８２の幅寸法と略同一の幅寸法とし、各端子ねじＳの締付方向を一次送り開閉器８２の高さ方向において上方向及び下方向としたことを特徴とする。
【００３５】
具体的には、端子台２Ａは、例えば絶縁樹脂等により、一次送り開閉器８２における上、中、下三段の受刃８２ａ，８２ｂ，８２ｃのある上側面からその一次送り開閉器８２の長手方向に伸びる角状に形成されている。このため、差込刃３１，４１等を一次送り開閉器８２の受刃８２ａ，８２ｃ等に差込接続した状態において、端子台２Ａの取付面（背面２２）が一次送り開閉器８２の取付面に対して面一となる。また、端子台２Ａの正面２１、左側面２３及び右側面２４も一次送り開閉器８２の各対応する面とそれぞれ面一となる。
【００３６】
そして、収納凹所２１１，２２１は、主として端子台２Ａの正面２１及び背面２２側にそれぞれ形成され、端子台２Ａの中央部により絶縁分離され、端子台２Ａの上側面２５からも外部を臨む構造になっている。
【００３７】
また、端子台２Ａの下側面２６には、収納凹所２１１，２２１をそれぞれ一次送り開閉器８２の上側面における受刃８２ａ，８２ｃに連通させるための切欠け２６１Ａ，２６２Ａが形成されている。
【００３８】
また、正面２１からの切欠け２６１Ａの深さ寸法と背面２２からの切欠け２６２Ａの深さ寸法とを同一寸法に設定し、差込刃３１，４１がそれぞれ切欠け２６１Ａ，２６２Ａの底位置に来るようにしてある。これにより、接続変換装置１Ａの正面及び背面を逆にしても接続変換装置１Ａを一次送り開閉器８２に接続することができ、図１５に限定されない柔軟な配置が可能となる。
【００３９】
更に、端子台２Ａの下側面２６には、一次送り開閉器８２の上側面における受刃８２ｂに嵌入する足割り形の突起２６０が形成されている。
【００４０】
端子部３Ａは、端子台２Ａの収納凹所２１１の底部に配設され、平角ワッシャＷを足部に挿通する端子ねじＳ付きの平板状の端子板部３０と、この端子板部３０に対して例えば垂直な中央部を介して平行に屈曲し、端子台２Ａの切欠け２６１Ａを経由して一次送り開閉器８２の受刃８２ａに挿入される平板状の差込刃３１とにより構成される。
【００４１】
端子部４Ａは、端子台２Ａの収納凹所２２１の底部に配設され、平角ワッシャＷを足部に挿通する端子ねじＳ付きの平板状の端子板部４０と、この端子板部４０に対して例えば垂直な中央部を介して平行に屈曲し、端子台２Ａの切欠け２６２Ａを経由して一次送り開閉器８２の受刃８２ｃに挿入される平板状の差込刃４１とにより構成される。
【００４２】
そして、端子部３Ａの端子板部３０及び端子部４Ａの端子板部４０は、主幹開閉器８１の端子Ｔ１，Ｔ１Ｎと接続されることになる。なお、端子部３Ａ，４Ａの端子台２Ａへの取付けについては、例えば、端子板部３０，４０に端子ねじＳの足部挿通用の挿通孔を穿設し、端子ねじＳ螺着用のナットを端子台２Ａに設ける構成でも、端子ねじＳ螺着用の穴を端子台２Ａに設ける構成でもよい。
【００４３】
このように、端子台２Ａを一次送り開閉器８２の幅寸法と略同一の幅寸法とし、各端子ねじＳの締付方向を一次送り開閉器８２の高さ方向において正面方向及び背面方向としたので、端子部３Ａ，４Ａに電線導体を一次送り開閉器８２の正面方向及び背面方向から端子ねじＳ、Ｓで接続した後に差込刃３１，４１を一次送り開閉器８２の受刃８２ａ，８２ｃに差込接続させることができ、正面から見て端子ねじＳ、Ｓの頭部をずらして配設する必要がなく、もって端子台２Ａの幅寸法及び一次送り開閉器８２の先端からの突出量を小さくすることができ、コンパクト化が図れる。
【００４４】
（第３実施形態）
図７は本発明による第３実施形態の接続変換装置の斜視図、図８は同接続変換装置の正面図（ａ）、上側面図（ｂ）、左側面図（ｃ）及び背面図（ｄ）である。ただし、各図面の方向は図１５の配置を基準にした便宜上のものである。
【００４５】
第３実施形態の接続変換装置１Ｂは、図７，図８に示すように、従来の接続変換装置１ＰＡと同様に、回路遮断器を共通化するべく、電気機器としての一次送り開閉器８２（図示せず）にも分岐開閉器７１と同じプラグイン式の回路遮断器を用いることができるようにするためのものである。
【００４６】
接続変換装置１Ｂは、住宅用分電盤の取付面からの距離がそれぞれ異なる２つの位置で収納凹所２５１，２５２が形成された端子台２Ｂと、収納凹所２５１，２５２にそれぞれ配置されて電線導体を接続する端子ねじＳ付の端子部３Ｂ，４Ｂと、端子部３Ｂ，４Ｂにそれぞれ電気的に接続され端子台２Ｂから突出する形で配置して一次送り開閉器８２の長手方向先端の受刃８２ａ，８２ｃに差込接続される上下二段の差込刃３１，４１とを備え、端子台２Ｂを一次送り開閉器８２の幅寸法と略同一の幅寸法とし、各端子ねじＳの締付方向を一次送り開閉器８２の長手方向としたことを特徴とする。
【００４７】
具体的には、端子台２Ｂは、例えば絶縁樹脂等により、一次送り開閉器８２における上、中、下三段の受刃８２ａ，８２ｂ，８２ｃのある上側面からその一次送り開閉器８２の長手方向に伸びる角状に形成されている。このため、差込刃３１，４１等を一次送り開閉器８２の受刃８２ａ，８２ｃ等に差込接続した状態において、端子台２Ｂの取付面（背面２２）が一次送り開閉器８２の取付面に対して面一となる。また、端子台２Ｂの正面２１、左側面２３及び右側面２４も一次送り開閉器８２の各対応する面とそれぞれ面一となる。
【００４８】
そして、収納凹所２５１，２５２は、主として端子台２Ｂの上側面２５側に形成され、Ｈ字状の隔壁２５０により絶縁分離され、端子台２Ｂの正面２１及び背面２２からもそれぞれ外部を臨む構造になっている。
【００４９】
また、端子台２Ｂの下側面２６には、収納凹所２５１，２５２をそれぞれ一次送り開閉器８２の上側面における受刃８２ａ，８２ｃに連通させるための孔２６１Ｂ，２６２Ｂが形成されている。
【００５０】
また、正面２１からの孔２６１Ｂの配置寸法と背面２２からの孔２６２Ｂの配置寸法とを同一寸法に設定してある。これにより、接続変換装置１Ｂの正面及び背面を逆にしても接続変換装置１Ｂを一次送り開閉器８２に接続することができ、図１５に限定されない柔軟な配置が可能となる。
【００５１】
更に、端子台２Ｂの下側面２６には、一次送り開閉器８２の上側面における受刃８２ｂに嵌入する足割り形の突起２６０が形成されている。
【００５２】
端子部３Ｂは、端子台２Ｂの収納凹所２５１の底部に配設され、平角ワッシャＷを足部に挿通する端子ねじＳ付きの平板状の端子板部３０と、この端子板部３０に対して例えば垂直に屈曲し、端子台２Ｂの孔２６１Ｂに挿通される平板状の差込刃３１とにより構成される。
【００５３】
端子部４Ｂは、端子台２Ｂの収納凹所２５２の底部に配設され、平角ワッシャＷを足部に挿通する端子ねじＳ付きの平板状の端子板部４０と、この端子板部４０に対して例えば垂直に屈曲し、端子台２Ｂの孔２６２Ｂに挿通される平板状の差込刃４１とにより構成される。
【００５４】
そして、端子部３Ｂの端子板部３０及び端子部４Ｂの端子板部４０は、主幹開閉器８１の端子Ｔ１，Ｔ１Ｎと接続されることになる。また、端子部３Ｂ，４Ｂの端子台２Ｂへの取付けについては、図７の例に示すように、貫通孔２６３，２６４が端子台２Ｂの下側面２６に形成されており、それらが端子ねじＳ螺着用となるか、あるいは端子ねじＳ螺着用のナットがそれらの貫通孔２６３，２６４内に設けられる構成となっている。
【００５５】
このように、端子台２Ｂを一次送り開閉器８２の幅寸法と略同一の幅寸法とし、各端子ねじＳの締付方向を一次送り開閉器８２の長手方向としたので、端子部３Ｂ，４Ｂに電線導体を一次送り開閉器８２の長手方向から端子ねじＳ，Ｓで接続した後に差込刃３１，４１を一次送り開閉器８２の受刃８２ａ，８２ｃに差込接続させることができ、正面から見て端子ねじＳ，Ｓの頭部をずらして配設する必要がなく、もって端子台２Ｂの幅寸法及び一次送り開閉器８２の先端からの突出量を小さくすることができ、コンパクト化が図れる。
【００５６】
（第４実施形態）
図９は本発明による第４実施形態の接続変換装置の斜視図、図１０は同接続変換装置の正面図（ａ）、上側面図（ｂ）、左側面図（ｃ）及び背面図（ｄ）である。ただし、各図面の方向は図１５の配置を基準にした便宜上のものである。
【００５７】
第４実施形態の接続変換装置１Ｃは、図９，図１０に示すように、従来の接続変換装置１ＰＡと同様に、回路遮断器を共通化するべく、電気機器としての一次送り開閉器８２（図示せず）にも分岐開閉器７１と同じプラグイン式の回路遮断器を用いることができるようにするためのものである。
【００５８】
接続変換装置１Ｃは、住宅用分電盤の取付面からの距離がそれぞれ異なる２つの位置で収納凹所２１１，２３２が形成された端子台２Ｃと、収納凹所２１１，２３２にそれぞれ配置されて電線導体を接続する端子ねじＳ付の端子部３Ａ，４と、端子部３Ａ，４にそれぞれ電気的に接続され端子台２Ｃから突出する形で配置して一次送り開閉器８２の長手方向先端の受刃８２ａ，８２ｃに差込接続される上下二段の差込刃３１，４１とを備え、端子台２Ｃを一次送り開閉器８２の幅寸法と略同一の幅寸法とし、各端子ねじＳの締付方向を一次送り開閉器８２の高さ方向及び幅方向としたことを特徴とする。
【００５９】
具体的には、端子台２Ｃは、例えば絶縁樹脂等により、一次送り開閉器８２における上、中、下三段の受刃８２ａ，８２ｂ，８２ｃのある上側面からその一次送り開閉器８２の長手方向に伸びる角状に形成されている。このため、差込刃３１，４１等を一次送り開閉器８２の受刃８２ａ，８２ｃ等に差込接続した状態において、端子台２Ｃの取付面（背面２２）が一次送り開閉器８２の取付面に対して面一となる。また、端子台２Ｃの正面２１、左側面２３及び右側面２４も一次送り開閉器８２の各対応する面とそれぞれ面一となる。
【００６０】
そして、収納凹所２１１，２３２は、主として端子台２Ｃの正面２１及び左側面２３側にそれぞれ形成され、端子台２Ｃの中央部により絶縁分離され、端子台２Ｃの上側面２５からも外部を臨む構造になっている。
【００６１】
また、端子台２Ｃの下側面２６には、収納凹所２１１，２３２をそれぞれ一次送り開閉器８２の上側面における受刃８２ａ，８２ｃに連通させるための切欠け２６１Ａ及びスリット２６２が形成されている。
【００６２】
また、正面２１からの切欠け２６１Ａの深さ寸法と背面２２からのスリット２６２の配置寸法とを同一寸法に設定してある。これにより、接続変換装置１Ｃの正面及び背面を逆にしても接続変換装置１Ｃを一次送り開閉器８２に接続することができ、図１５に限定されない柔軟な配置が可能となる。
【００６３】
更に、端子台２Ｃの下側面２６には、一次送り開閉器８２の上側面における受刃８２ｂに嵌入する足割り形の突起２６０が形成されている。
【００６４】
端子部３Ａは第２実施形態のそれと同様であり、端子部４は第１実施形態のそれと同様であるので、それらの具体説明は省略する。
【００６５】
このように、端子台２Ｃを一次送り開閉器８２の幅寸法と略同一の幅寸法とし、各端子ねじＳの締付方向を一次送り開閉器８２の高さ方向及び幅方向としたので、端子部３Ａ，４に電線導体を一次送り開閉器８２の高さ方向及び幅方向から端子ねじＳ，Ｓで接続した後に差込刃３１，４１を一次送り開閉器８２の受刃８２ａ，８２ｃに差込接続させることができ、正面から見て端子ねじＳ，Ｓの頭部をずらして配設する必要がなく、もって端子台２Ｃの幅寸法及び一次送り開閉器８２の先端からの突出量を小さくすることができ、コンパクト化が図れる。
【００６６】
（第５実施形態）
図１１は本発明による第５実施形態の接続変換装置の斜視図、図１２は同接続変換装置の正面図（ａ）、上側面図（ｂ）、左側面図（ｃ）及び背面図（ｄ）である。ただし、各図面の方向は図１５の配置を基準にした便宜上のものである。
【００６７】
接続変換装置１Ｄは、住宅用分電盤の取付面からの距離がそれぞれ異なる２つの位置で収納凹所２５１，２３２が形成された端子台２Ｄと、収納凹所２５１，２３２にそれぞれ配置されて電線導体を接続する端子ねじＳ付の端子部３Ｂ，４と、端子部３Ｂ，４にそれぞれ電気的に接続され端子台２Ｄから突出する形で配置して一次送り開閉器８２の長手方向先端の受刃８２ａ，８２ｃに差込接続される上下二段の差込刃３１，４１とを備え、端子台２Ｄを一次送り開閉器８２の幅寸法と略同一の幅寸法とし、各端子ねじＳの締付方向を一次送り開閉器８２の長手方向及び幅方向としたことを特徴とする。
【００６８】
具体的には、端子台２Ｄは、例えば絶縁樹脂等により、一次送り開閉器８２における上、中、下三段の受刃８２ａ，８２ｂ，８２ｃのある上側面からその一次送り開閉器８２の長手方向に伸びる角状に形成されている。このため、差込刃３１，４１等を一次送り開閉器８２の受刃８２ａ，８２ｃ等に差込接続した状態において、端子台２Ｄの取付面（背面２２）が一次送り開閉器８２の取付面に対して面一となる。また、端子台２Ｄの正面２１、左側面２３及び右側面２４も一次送り開閉器８２の各対応する面とそれぞれ面一となる。
【００６９】
そして、収納凹所２５１，２３２は、主として端子台２Ｄの上側面２５及び左側面２３側にそれぞれ形成され、端子台２Ｄの中央部により絶縁分離され、端子台２Ｄの正面２１及び上側面２５からも外部を臨む構造になっている。
【００７０】
また、端子台２Ｄの下側面２６には、収納凹所２５１，２３２をそれぞれ一次送り開閉器８２の上側面における受刃８２ａ，８２ｃに連通させるための孔２６１Ｂ及びスリット２６２が形成されている。
【００７１】
また、正面２１からの孔２６１Ｂの配置寸法と背面２２からのスリット２６２の配置寸法とを同一寸法に設定してある。これにより、接続変換装置１Ｄの正面及び背面を逆にしても接続変換装置１Ｄを一次送り開閉器８２に接続することができ、図１５に限定されない柔軟な配置が可能となる。
【００７２】
更に、端子台２Ｄの下側面２６には、一次送り開閉器８２の上側面における受刃８２ｂに嵌入する足割り形の突起２６０が形成されている。
【００７３】
端子部３Ｂは第３実施形態のそれと同様であり、端子部４は第１実施形態のそれと同様であるので、それらの具体説明は省略する。
【００７４】
このように、端子台２Ｄを一次送り開閉器８２の幅寸法と略同一の幅寸法とし、各端子ねじＳの締付方向を一次送り開閉器８２の長手方向及び幅方向としたので、端子部３Ｂ，４に電線導体を一次送り開閉器８２の長手方向及び幅方向から端子ねじＳ，Ｓで接続した後に差込刃３１，４１を一次送り開閉器８２の受刃８２ａ，８２ｃに差込接続させることができ、正面から見て端子ねじＳ，Ｓの頭部をずらして配設する必要がなく、もって端子台２Ｄの幅寸法及び一次送り開閉器８２の先端からの突出量を小さくすることができ、コンパクト化が図れる。
【００７５】
（第６実施形態）
図１３は本発明による第６実施形態の接続変換装置の斜視図、図１４は同接続変換装置の正面図（ａ）、上側面図（ｂ）、左側面図（ｃ）及び背面図（ｄ）である。ただし、各図面の方向は図１５の配置を基準にした便宜上のものである。
【００７６】
接続変換装置１Ｅは、住宅用分電盤の取付面からの距離がそれぞれ異なる２つの位置で収納凹所２１１，２５２が形成された端子台２Ｅと、収納凹所２１１，２５２にそれぞれ配置されて電線導体を接続する端子ねじＳ付の端子部３Ａ，４Ｂと、端子部３Ａ，４Ｂにそれぞれ電気的に接続され端子台２Ｅから突出する形で配置して一次送り開閉器８２の長手方向先端の受刃８２ａ，８２ｃに差込接続される上下二段の差込刃３１，４１とを備え、端子台２Ｅを一次送り開閉器８２の幅寸法と略同一の幅寸法とし、各端子ねじＳの締付方向を一次送り開閉器８２の高さ方向及び長手方向としたことを特徴とする。
【００７７】
具体的には、端子台２Ｅは、例えば絶縁樹脂等により、一次送り開閉器８２における上、中、下三段の受刃８２ａ，８２ｂ，８２ｃのある上側面からその一次送り開閉器８２の長手方向に伸びる角状に形成されている。このため、差込刃３１，４１等を一次送り開閉器８２の受刃８２ａ，８２ｃ等に差込接続した状態において、端子台２Ｅの取付面（背面２２）が一次送り開閉器８２の取付面に対して面一となる。また、端子台２Ｅの正面２１、左側面２３及び右側面２４も一次送り開閉器８２の各対応する面とそれぞれ面一となる。
【００７８】
そして、収納凹所２１１，２５２は、主として端子台２Ｅの正面２１及び上側面２５側にそれぞれ形成され、端子台２Ｅの中央部により絶縁分離され、端子台２Ｅの上側面２５及び背面２２からも外部を臨む構造になっている。
【００７９】
また、端子台２Ｅの下側面２６には、収納凹所２１１，２５２をそれぞれ一次送り開閉器８２の上側面における受刃８２ａ，８２ｃに連通させるための切欠け２６１Ａ及び孔２６２Ｂが形成されている。
【００８０】
また、正面２１からの切欠け２６１Ａの深さ寸法と背面２２からの孔２６２Ｂの配置寸法とを同一寸法に設定してある。これにより、接続変換装置１Ｅの正面及び背面を逆にしても接続変換装置１Ｅを一次送り開閉器８２に接続することができ、図１５に限定されない柔軟な配置が可能となる。
【００８１】
更に、端子台２Ｅの下側面２６には、一次送り開閉器８２の上側面における受刃８２ｂに嵌入する足割り形の突起２６０が形成されている。
【００８２】
端子部３Ａは第２実施形態のそれと同様であり、端子部４Ｂは第３実施形態のそれと同様であるので、それらの具体説明は省略する。
【００８３】
このように、端子台２Ｅを一次送り開閉器８２の幅寸法と略同一の幅寸法とし、各端子ねじＳの締付方向を一次送り開閉器８２の高さ方向及び長手方向としたので、端子部３Ａ，４Ｂに電線導体を一次送り開閉器８２の高さ方向及び長手から端子ねじＳ，Ｓで接続した後に差込刃３１，４１を一次送り開閉器８２の受刃８２ａ，８２ｃに差込接続させることができ、正面から見て端子ねじＳ，Ｓの頭部をずらして配設する必要がなく、もって端子台２Ｅの幅寸法及び一次送り開閉器８２の先端からの突出量を小さくすることができ、コンパクト化が図れる。
【００８４】
【発明の効果】
以上のことから明らかなように、請求項１記載の発明は、取付面からの距離がそれぞれ異なる２つの位置で収納凹所が形成された端子台と、各収納凹所にそれぞれ配置されて電線導体を接続する端子ねじ付の複数の端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の幅方向としたので、各端子部に電線導体を電気機器の幅方向から各端子ねじで接続した後に差込刃を電気機器の受刃に差込接続させることができ、正面から見て端子ねじの頭部をずらして配設する必要がなく、もって端子台の幅寸法及び電気機器の先端からの突出量を小さくすることができ、コンパクト化が図れる。
【００８５】
請求項２記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の高さ方向において上方向及び下方向としたので、各端子部に電線導体を電気機器の高さ方向における上方向及び下方向から各端子ねじで接続した後に差込刃を電気機器の受刃に差込接続させることができ、上面から見て端子ねじの頭部をずらして配設する必要がなく、もって端子台の幅寸法及び電気機器の先端からの突出量を小さくすることができ、コンパクト化が図れる。
【００８６】
請求項３記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の長手方向としたので、各端子部に電線導体を電気機器の長手方向から各端子ねじで接続した後に差込刃を電気機器の受刃に差込接続させることができ、正面から見て端子ねじの頭部をずらして配設する必要がなく、もって端子台の幅寸法及び電気機器の先端からの突出量を小さくすることができ、コンパクト化が図れる。
【００８７】
請求項４記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の高さ方向及び幅方向としたので、各端子部に電線導体を電気機器の高さ方向及び幅方向から各端子ねじで接続した後に差込刃を電気機器の受刃に差込接続させることができ、正面から見て端子ねじの頭部をずらして配設する必要がなく、もって端子台の幅寸法及び電気機器の先端からの突出量を小さくすることができ、コンパクト化が図れる。
【００８８】
請求項５記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の長手方向及び幅方向としたので、各端子部に電線導体を電気機器の長手方向及び幅方向から各端子ねじで接続した後に差込刃を電気機器の受刃に差込接続させることができ、正面から見て端子ねじの頭部をずらして配設する必要がなく、もって端子台の幅寸法及び電気機器の先端からの突出量を小さくすることができ、コンパクト化が図れる。
【００８９】
請求項６記載の発明は、取付面からの距離がそれぞれ異なる２つの位置で収納凹所が形成された端子台と、各収納凹所にそれぞれ配置されて電線導体を接続する端子ねじ付の２つの端子部と、各端子部にそれぞれ電気的に接続され端子台から突出する形で配置して電気機器の長手方向先端の各受刃に差込接続される上下二段の２つの差込刃と、を備えた接続変換装置において、前記端子台を電気機器の幅寸法と略同一の幅寸法とし、前記各端子ねじの締付方向を電気機器の高さ方向及び長手方向としたので、各端子部に電線導体を電気機器の高さ方向及び長手方向から各端子ねじで接続した後に差込刃を電気機器の受刃に差込接続させることができ、正面から見て端子ねじの頭部をずらして配設する必要がなく、もって端子台の幅寸法及び電気機器の先端からの突出量を小さくすることができ、コンパクト化が図れる。
【００９０】
請求項７記載の発明は、請求項１乃至請求項６のいずれか１項に記載の接続変換装置において、前記各差込刃を前記電気機器の各受刃に差込接続した状態で前記端子台の取付面を前記電気機器の取付面に対して面一としたので、電気機器と端子台とを面一の取付部材に取り付けることができ、電気機器とともに取付け易くすることができる。
【００９１】
請求項８記載の発明は、請求項７記載の接続変換装置において、前記各差込刃は、前記電気機器の高さ方向において上側及び下側からの距離を同一距離として配設されたので、上下ひっくり返しても電気機器に接続することができる。
【図面の簡単な説明】
【図１】本発明による第１実施形態の接続変換装置を電気機器に接続した状態を示す斜視図である。
【図２】同接続変換装置及び電気機器一式の正面図（ａ）、上側面図（ｂ）及び左側面図（ｃ）である。
【図３】同接続変換装置単体の斜視図である。
【図４】同接続変換装置の正面図（ａ）、上側面図（ｂ）、左側面図（ｃ）及び背面図（ｄ）である。
【図５】本発明による第２実施形態の接続変換装置の斜視図である。
【図６】同接続変換装置の正面図（ａ）、上側面図（ｂ）、左側面図（ｃ）及び背面図（ｄ）である。
【図７】本発明による第３実施形態の接続変換装置の斜視図である。
【図８】同接続変換装置の正面図（ａ）、上側面図（ｂ）、左側面図（ｃ）及び背面図（ｄ）である。
【図９】本発明による第４実施形態の接続変換装置の斜視図である。
【図１０】同接続変換装置の正面図（ａ）、上側面図（ｂ）、左側面図（ｃ）及び背面図（ｄ）である。
【図１１】本発明による第５実施形態の接続変換装置の斜視図である。
【図１２】同接続変換装置の正面図（ａ）、上側面図（ｂ）、左側面図（ｃ）及び背面図（ｄ）である。
【図１３】本発明による第６実施形態の接続変換装置の斜視図である。
【図１４】同接続変換装置の正面図（ａ）、上側面図（ｂ）、左側面図（ｃ）及び背面図（ｄ）である。
【図１５】従来の接続変換装置が使用される住宅用分電盤の分解斜視図である。
【図１６】同接続変換装置の分解斜視図である。
【符号の説明】
１，１Ａ，１Ｂ，１Ｃ，１Ｄ，１Ｅ  接続変換装置
２，２Ａ，２Ｂ，２Ｃ，２Ｄ，２Ｅ  端子台
３，３Ａ，３Ｂ  端子部
４，４Ａ，４Ｂ  端子部
８２  一次送り開閉器
【図１】
2004259559.tif 000003
【図２】
2004259559.tif 000004
【図３】
2004259559.tif 000005
【図４】
2004259559.tif 000006
【図５】
2004259559.tif 000007
【図６】
2004259559.tif 000008
【図７】
2004259559.tif 000009
【図８】
2004259559.tif 000010
【図９】
2004259559.tif 000011
【図１０】
2004259559.tif 000012
【図１１】
2004259559.tif 000013
【図１２】
2004259559.tif 000014
【図１３】
2004259559.tif 000015
【図１４】
2004259559.tif 000016
【図１５】
2004259559.tif 000017
【図１６】
2004259559.tif 000018